(57)【要約】【目的】    本発明は、ズボン等の衣服に取り付けられた如何なる異なる大きさのボタンに対しても対応できると共に、該ボタンをボタンホールに簡単且つ迅速にボタン掛けでき、該ボタン掛けの操作性を向上させ、ボタン掛け後においても、より簡単に外すことを目的とするボタン掛け具である。  【構成】  鉤形のボタン係止部１と、該ボタン係止部１に連続したアーム部２と、該アーム部２の外端に形成されたツマミ部３とからなること。前記ボタン係止部１と前記アーム部２と前記ツマミ部３とが一枚の板材で一体形成されてなること。【選択図】      図１
2007229150.tif 000002
【特許請求の範囲】
【請求項１】
鉤形のボタン係止部と、該ボタン係止部に連続したアーム部と、該アーム部の外端に形成されたツマミ部とからなり、前記ボタン係止部と前記アーム部と前記ツマミ部とが一枚の板材で一体形成されてなることを特徴とするボタン掛け具。
【請求項２】
請求項１において、前記ボタン係止部はＵ字片の鉤形として形成され、該鉤形のＵ字片の中心線に鋭角状に交叉するように中心軸として前記アーム部が延在してなることを特徴とするボタン掛け具
【請求項３】
請求項１において、前記ボタン係止部は釣り針片の鉤形として形成され、該釣り針片の鉤形の基部から該基部の軸方向に沿うと共に湾曲状に形成されつつ、外方に行くに従って次第に幅広となるようにして前記アーム部が形成されてなることを特徴とするボタン掛け具。
【請求項４】
請求項１，２又は３において、前記鉤形の先端に玉状端が形成されてなることを特徴とするボタン掛け具。
【請求項５】
請求項１，２又は３において、前記アーム部の後端より前記ツマミ部が膨出部として形成されてなることを特徴とするボタン掛け具。
【発明の詳細な説明】
【技術分野】
【０００１】
本発明は、ズボン等の衣服に取り付けられた如何なる異なる大きさのボタンに対しても対応できると共に、該ボタンをボタンホールに簡単且つ迅速にボタン掛けでき、該ボタン掛けの操作性を向上させ、ボタン掛け後においても、より簡単に外すことができるボタン掛け具に関する。
【背景技術】
【０００２】
従来より、ジーンズ等のズボン等（衣服を含む）に取り付けられたボタンをボタンホールに速やかに掛けるためのボタン掛け具が特許文献１及び２に示すように開示されている。ジーンズ等の厚くて、堅い生地からなるズボンやジャケットの場合、腕又は手に障害を持っている者や、爪が弱い者或いは付け爪や長い爪を有している女性などにとっては、そのボタン掛けができなかったり、或いは著しく困難であった。
【特許文献１】特開２００３−１８０４０７号
【特許文献２】実用新案登録第３１１３２０３号
【０００３】
特許文献１では、ボタンの大きさが異なったり、大きすぎると使用することができない最大の欠点があった。また、特許文献２でも、特許文献１と同様な不都合はある。また、特許文献１及び２においても、ボタン掛けするときに、引き寄せながらするときにかなりの力を必要としている。さらに、特許文献１及び２も、ボタン掛け後において、ボタンからボタン掛け具を外すのに簡単に外せない不都合もあった。つまり、使いづらい欠点があった。
【発明の開示】
【発明が解決しようとする課題】
【０００４】
このため、本発明が解決しようとする課題（技術的課題又は目的等）は、ズボン等の衣服に取り付けられた如何なる大きさのボタンに対しても対応できると共に、該ボタンをボタンホールに簡単且つ迅速にボタン掛けでき、ボタン掛けした後においても、より簡単に外すことができることを実現することである。
【課題を解決するための手段】
【０００５】
そこで、発明者は上記課題を解決すべく鋭意，研究を重ねた結果、請求項１の発明を、鉤形のボタン係止部と、該ボタン係止部に連続したアーム部と、該アーム部の外端に形成されたツマミ部とからなり、前記ボタン係止部と前記アーム部と前記ツマミ部とが一枚の板材で一体形成されてなることを特徴とするボタン掛け具としたことにより、前記課題を解決した。
【０００６】
請求項２の発明を、前述の構成において、前記ボタン係止部はＵ字片の鉤形として形成され、該鉤形のＵ字片の中心線に鋭角状に交叉するように中心軸として前記アーム部が延在してなることを特徴とするボタン掛け具としたことにより、前記課題を解決した。
【０００７】
請求項３の発明を、前述の構成において、前記ボタン係止部は釣り針片の鉤形として形成され、該釣り針片の鉤形の基部から該基部の軸方向に沿うと共に湾曲状に形成されつつ、外方に行くに従って次第に幅広となるようにして前記アーム部が形成されてなることを特徴とするボタン掛け具としたことにより、前記課題を解決した。
【０００８】
また、請求項４の発明においては、前述の構成において、前記鉤形の先端に玉状端が形成されてなることを特徴とするボタン掛け具としたことにより、前記課題を解決した。請求項５の発明では、前述の構成において、前記アーム部の後端より前記ツマミ部が膨出部として形成されてなることを特徴とするボタン掛け具としたことにより、前記課題を解決したものである。
【発明の効果】
【０００９】
請求項１の発明においては、鉤形のボタン係止部であるがゆえに、ズボン等の衣服に取り付けられた如何なる大きさのボタンに対しても対応できるし、ボタンに係止した後に該ボタンをボタンホールに簡単且つ迅速にボタン掛けでき、該ボタン掛けの操作性を向上させ、ボタン掛け後においても、より簡単に外すことができる効果がある。さらに、請求項２及び３においては、請求項１と同様の効果を奏する。
請求項４の発明では、本発明を持ち運びの際などに、人に怪我をさせないようにできるし、衣服や持ち物に対して引っ掻き傷などの損傷を与えることを回避できる。さらに、請求項５の発明では、前記ツマミ部が膨出部として形成されているために、本発明全体が、ボタンホールに潜りこむことが無く操作性を良好にできる。
【発明を実施するための最良の形態】
【００１０】
以下、本発明の実施形態について図面に基づいて説明すると、図１乃至図３は本発明のボタン掛け具であって、ステンレス又は合金などの金属製の板材から構成されている。ボタン掛け具は、第１実施形態と第２実施形態とが存在する。何れも鉤形のボタン係止部１と、該ボタン係止部１に連続したアーム部２と、該アーム部２の外側に形成されたツマミ部３とからなり、前記ボタン係止部１と前記アーム部２と前記ツマミ部３とが一枚の板材で一体形成されている。
【００１１】
また、該ツマミ部３の外側に、必要に応じて突起部４が設けられている。該突起部４は、缶ビール、缶入り清涼飲料水、ツナ缶やネコ缶又は犬缶（ペットフード用）等のプルトップを開けるためのものであり、後述の第１実施形態又は第２実施形態には、通常設けられているが、ボタン掛けとは別の構成であるために以後の説明は省略する。
【００１２】
ボタン掛け具の第１実施形態は、図１（Ａ）乃至（Ｅ）に示すように、前記ボタン係止部１とアーム部２とツマミ部３との中心軸ｎが直線状をなしている。前記ボタン係止部１はＵ字片１ａの鉤形として形成され、該鉤形のＵ字片１ａの中心線ｍが前記中心軸ｎに対して∠θなる略鋭角として形成されている。該∠θは、図１（Ａ），（Ｂ）及び（Ｅ）に示すように、略直角に形成されたり、或いは図１（Ｃ）及び（Ｄ）に示すように、約８０度内外の鋭角に形成されることもある。また、前記Ｕ字片１ａなる鉤形の先端に、危険防止のために玉状端１ｂが形成されることがある［図１（Ａ），（Ｂ）参照］。該玉状端１ｂは、平面上から見た場合であり、実際には、板材であるために、平面、底面側は平坦に形成されている。
【００１３】
前記Ｕ字片１ａは、両立上り片と半円弧状片とで形成されているが、図１（Ｃ）に示すように、両立上り片と扁平Ｖ字型片１ａ１とで、角型に形成されることもある。また、前記立上り片は垂直状をなしているが、傾斜状に形成されることもある。これによって両立上り片は、両垂直片として、ハの字状片として、又は逆ハの字状片として形成されることもある。前記アーム部２は、中間でくびれが生ずるように形成され、外端側で幅広に形成されている。さらに、図１（Ｅ）に示すように、前記アーム部２が次第に幅広になるように直線状に形成されることもある。
【００１４】
該アーム部２の幅広個所に連続して膨出部としてツマミ部３が一体形成されている。該ツマミ部３は、親指と人差し指とではさみつつ回転支持する箇所であると共に、ズボンなどのボタンホール５１に挿入した後に、それ以上奥に潜り込まないように、すなわち、ストッパ的な作用をなすように、ある程度の幅が拡大する膨出部として形成されている。
【００１５】
次に、ボタン掛け具の第２実施形態は、図２及び図３に示すように、前記ボタン係止部１は釣り針片１ｃの鉤形として形成され、該釣り針片１ｃの鉤形の基部から該基部の軸方向に沿うと共に、外方に行くに従って次第に幅広となるようにして前記アーム部２が形成されてなる。具体的には、図２（Ａ）に示すように、前記釣り針片１ｃの中心線ｐの方向が、前記アーム部２の内側半径Ｒ１及び外側半径Ｒ２のそれぞれの接線になるような位置に形成されている。前記アーム部２の外端には比較的幅広又は膨大部としてのツマミ部３が一体形成されている。前記釣り針片１ｃなる鉤形の先端に、危険防止のために玉状端１ｂが形成されることがある［図２（Ａ）乃至（Ｄ）参照］。
【００１６】
図２（Ｃ）のものは、突起部４が原則設けられないタイプであり、図２（Ｄ）及び（Ｅ）のものは、全体の長さや湾曲度を僅かに変えたタイプである。また、図３（Ａ）のものは、さらに湾曲度を変えたタイプである。図３（Ｂ）のものは、前記アーム部２の個所において、外側半径Ｒ３を前記外側半径Ｒ２の中心点より反対側に設けたタイプである。また、図３（Ｃ）及び（Ｄ）のものは、図２（Ｃ）と同様であるが、前記突起部４の位置を変えたものである。該突起部４を使う（プルトップを開けるため）のに使い方のバリエーションを増加させたものである。以上のように、ボタン掛け具の第１実施形態又は第２実施形態は、金属板材が基本であるが、強度的に十分であれば、合成樹脂製の板材であっても制限されない。また、前記ツマミ部３の適宜の個所に吊下げ孔５が設けられることもある［図１（Ｂ）及び図２（Ａ）乃至（Ｄ）参照］。
【００１７】
次に、本発明のボタン掛け具を使って、ズボン（主にジーンズ）などのボタンをボタンホールに掛ける作用について、図４及び５に基づいて説明する。まず、図４（Ａ）に示すように、ズボンをはいた状態で、例えば、腹回りに対してズボンの胴周りが少しキツメの場合を想定してみた。そこで、本発明のボタン掛け具のツマミ部３を、左手又は右手の親指と人差し指とではさみつつ、前記ボタン係止部１を、ズボンの外側フライ５３に設けたボタンホール５１に近づける。
【００１８】
次に、ボタン係止部１をズボンのボタンホール５１内に挿入させると共に、ボタン係止部１をズボンの内側フライ５２に設けたボタン５０に下側から近づける［図４（Ｂ）参照］。そしてボタン５０のチャンク部５０ｂに前記ボタン係止部１を係止させる［図４（Ｃ）参照］。その後、ツマミ部３を押えつつ、図４（Ｃ）において、時計方向に回転させる。つまり、ボタン掛け具のアーム部２が前記ボタンホール５１端をテコの支点として回転させつつ、ボタン５０をボタンホール５１に対して、テコの原理により小さな力で且つ安易に引き寄せる［図４（Ｄ）参照］。さらに回転させつつ、ボタン５０をボタンホール５１に対して引き寄せる［図４（Ｅ）参照］。特に、本発明を回転させることによって、アーム部２を介してボタン５０とボタンホール５１とが互いに引き寄せられる作用をなす。
【００１９】
さらに回転させて、最初から約１８０度内外を反転させる。すると、そのテコの作用から、前記ボタン係止部１をチャンク部５０ｂに係止させた状態でボタン５０の頭部５０ａの一部が前記ボタンホール５１の裏側から表側に露出するようになる［図５（Ａ）参照］。この状態を断面としてみると、チャンク部５０ｂに前記ボタン係止部１が係止した状態と、ズボンの外側フライ５３面とが略水平関係にあり、自ずとボタン５０の頭部５０ａが露出するようになる特有の作用を呈するものである。［図５（Ｂ）参照］。
【００２０】
さらに時計方向に約４５度回転させると、ボタン掛け具は、全体として約１３５度の回転で傾斜状態となり、ボタン５０の頭部５０ａの殆どが露出される［図５（Ｃ）参照］。さらに、時計方向に約４５度回転させるとボタン掛け具は垂直状態となり、ボタン５０の頭部５０ａの全てが露出される。このときに、ボタン掛け具が最初から２７０度回転、つまり約４分の３回転で、ボタン掛けが完了できるものである［図５（Ｄ）参照］。そして、前記ボタン５０のチャンク部５０ｂから前記ボタン係止部１を外して、一連の作業を終了する［図５（Ｅ）参照］。しかるに、図４（Ａ）から図５（Ｅ）での動作は、文章ではかなり長くなるが、動作としては、１乃至３秒であり、簡易且つ極めて迅速にでき、操作性が抜群である。
【００２１】
また、図４及び５では、時計方向の操作によるボタン掛けの作用であったが、前記ボタン係止部１の開口側を下にして、反時計方向に回転させて、前述と同様にボタン掛けができるものである。また、作用の状況は、本発明の第１実施形態（図１参照）について説明したが、本発明の第２実施形態（図２及び３参照）についても同様である。
【００２２】
特に、本発明では、アーム部２を介してテコの応用で回転させてボタンを掛けるので力が要らないし、体に障害がある者又は爪が弱い者でも、さらには付け爪などを付けた者若しくは長爪している者が爪の損傷を気にすること無く、簡易且つ極めて迅速にできる最大の利点がある。また、ズボン（主にジーンズ）などの外側フライ５３及び内側フライ５２個所のファスナーを引いて閉じるのに、本発明のボタン掛け具の前記ボタン係止部１の鉤形の先端にて引っ掛けて使うこともある。
【００２３】
また、このような形状であるために、図６（Ａ）に示すように、皮製などの添え片２０を用意してその先端に、収納用ボタン２１を設けて、本発明の第１実施形態のボタン係止部１が着脱自在に掛けられている。これで本発明のボタン掛け具と添え片２０に貫孔２０ａを設けて該貫孔２０ａにチェーン等の吊り下げ輪２２を設けてキーホルダー的に構成することもある。また、図６（Ｂ）に示すように、本発明の第２実施形態の前記ボタン係止部１及びアーム部２が入るような袋部２３が設けられることもある。また、図６（Ｃ）に示すように、本発明の第２実施形態の前記ボタン係止部１が危険であるために、該ボタン係止部１にゴム環状片２４を設けて、ここに吊り下げ輪２２を設けてキーホルダー的に持ち運びなどに対応できる。
【図面の簡単な説明】
【００２４】
【図１】（Ａ）は本発明の第１実施形態の平面図、（Ｂ）は（Ａ）の斜視図、（Ｃ）乃至（Ｅ）は本発明の第１実施形態の変形例それぞれの平面図である。
【図２】（Ａ）は本発明の第２実施形態の平面図、（Ｂ）は（Ａ）の斜視図、（Ｃ）乃至（Ｅ）は本発明の第２実施形態の変形例それぞれの平面図である。
【図３】（Ａ）乃至（Ｃ）は本発明の第２実施形態の変形例それぞれの平面図、（Ｄ）は（Ｃ）の斜視図である。
【図４】（Ａ）乃至（Ｅ）は本発明を使ってボタン掛けする前段階過程の各段階の状態図である。
【図５】（Ａ）乃至（Ｅ）は本発明を使ってボタン掛けする後段階過程の各段階の状態図である。
【図６】（Ａ）は添え片を設けて収納するタイプの平面図、（Ｂ）は袋部を設けて収納するタイプの平面図、（Ｃ）はゴム環状片を設けて収納するタイプの平面図、（Ｄ）は（Ｃ）のＹ−Ｙ矢視断面図である。
【符号の説明】
【００２５】
１…ボタン係止部、１ａ…Ｕ字片、１ｂ…玉状端、１ｃ…釣り針片、
２…アーム部、３…ツマミ部。
【図１】
2007229150.tif 000003
【図２】
2007229150.tif 000004
【図３】
2007229150.tif 000005
【図４】
2007229150.tif 000006
【図５】
2007229150.tif 000007
【図６】
2007229150.tif 000008
【手続補正書】
【提出日】平成19年4月16日(2007.4.16)
【手続補正１】
【補正対象書類名】特許請求の範囲
【補正対象項目名】請求項１
【補正方法】変更
【補正の内容】
【請求項１】
鉤形のボタン係止部と、該ボタン係止部に連続したアーム部と、該アーム部の外端に親指と人指し指とではさみつつ回転支持するように形成されたツマミ部とからなり、前記ボタン係止部と前記アーム部と前記ツマミ部とが一枚の板材で一体形成されてなり、前記アーム部は、挿入されるボタンホール端を支点として回転させる構成としてなることを特徴とするボタン掛け具。
【手続補正２】
【補正対象書類名】明細書
【補正対象項目名】０００５
【補正方法】変更
【補正の内容】
【０００５】
そこで、発明者は上記課題を解決すべく鋭意，研究を重ねた結果、請求項１の発明を、鉤形のボタン係止部と、該ボタン係止部に連続したアーム部と、該アーム部の外端に親指と人指し指とではさみつつ回転支持するように形成されたツマミ部とからなり、前記ボタン係止部と前記アーム部と前記ツマミ部とが一枚の板材で一体形成されてなり、前記アーム部は、挿入されるボタンホール端を支点として回転させる構成としてなることを特徴とするボタン掛け具としたことにより、前記課題を解決した。
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
鉤形のボタン係止部と、該ボタン係止部に連続したアーム部と、該アーム部の外端に親指と人指し指とではさみつつ回転支持すると共に、幅が拡大する膨出部として形成されたツマミ部とからなり、前記ボタン係止部と前記アーム部と前記ツマミ部とが一枚の板材で一体形成されてなり、前記アーム部は、中間でくびれが生ずるように形成されてなることを特徴とするボタン掛け具。
【請求項２】
鉤形のボタン係止部と、該ボタン係止部に連続したアーム部と、該アーム部の外端に親指と人指し指とではさみつつ回転支持すると共に、幅が拡大する膨出部として形成されたツマミ部とからなり、前記ボタン係止部と前記アーム部と前記ツマミ部とが一枚の板材で一体形成されてなり、前記アーム部は、湾曲状に形成されつつ、前記ツマミ部側に行くに従って次第に幅広となるように形成されてなることを特徴とするボタン掛け具。
【請求項３】
請求項１又は２において、前記鉤形の先端に玉状端が形成されてなることを特徴とするボタン掛け具。
【手続補正２】
【補正対象書類名】明細書
【補正対象項目名】０００５
【補正方法】変更
【補正の内容】
【０００５】
そこで、発明者は上記課題を解決すべく鋭意，研究を重ねた結果、請求項１の発明を、鉤形のボタン係止部と、該ボタン係止部に連続したアーム部と、該アーム部の外端に親指と人指し指とではさみつつ回転支持すると共に、幅が拡大する膨出部として形成されたツマミ部とからなり、前記ボタン係止部と前記アーム部と前記ツマミ部とが一枚の板材で一体形成されてなり、前記アーム部は、中間でくびれが生ずるように形成されてなることを特徴とするボタン掛け具としたことにより、前記課題を解決した。
【手続補正３】
【補正対象書類名】明細書
【補正対象項目名】０００６
【補正方法】変更
【補正の内容】
【０００６】
請求項２の発明を、鉤形のボタン係止部と、該ボタン係止部に連続したアーム部と、該アーム部の外端に親指と人指し指とではさみつつ回転支持すると共に、幅が拡大する膨出部として形成されたツマミ部とからなり、前記ボタン係止部と前記アーム部と前記ツマミ部とが一枚の板材で一体形成されてなり、前記アーム部は、湾曲状に形成されつつ、前記ツマミ部側に行くに従って次第に幅広となるように形成されてなることを特徴とするボタン掛け具としたことにより、前記課題を解決した。また、請求項３の発明を、前述の構成において、前記鉤形の先端に玉状端が形成されてなることを特徴とするボタン掛け具としたことにより、前記課題を解決したものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項１の発明においては、鉤形のボタン係止部であるがゆえに、ズボン等の衣服に取り付けられた如何なる大きさのボタンに対しても対応できるし、ボタンに係止した後に該ボタンをボタンホールに簡単且つ迅速にボタン掛けでき、該ボタン掛けの操作性を向上させ、ボタン掛け後においても、より簡単に外すことができる効果がある。さらに、前記ツマミ部が膨出部として形成されているために、本発明全体が、ボタンホールに潜りこむことが無く操作性を良好にできる。また、請求項２の発明においては、請求項１と同様の効果を奏する。また、請求項３の発明では、本発明を持ち運びの際などに、人に怪我をさせないようにできるし、衣服や持ち物に対して引っ掻き傷などの損傷を与えることを回避できる。